(57)【要約】【課題】カード用コネクタ組立体において、寸法形状の異なるカードを確実に抜け止めすることができるようにする。【解決手段】カード用コネクタ組立体５０は、コネクタ１と、このコネクタ１を収容する筐体５２を有する。筐体５２内には、スライダ５４により左右方向に駆動されるプレート７６と、このプレート７６とカム係合するカム突起７２、７４と、プレート７６の上に配置されるプレート７８を有する。スライダ５４を右に移動させると、プレート７６が、カム突起７４とカム係合して上昇し、プレート７８を押上げる。プレート７８には、弾性ゴム片８８が貼着されており、この弾性ゴム片８８が、カード１０の下側主面に摩擦接触してカード１０を抜け止めする。【選択図】　　　　　図４
2004055255.tif 000002
【特許請求の範囲】
【請求項１】
カード受容スロットに受容したカードを抜け止めする抜止機構を有するカード用コネクタ組立体において、
前記抜止機構が、前記挿入されたカードの主面に対応して、前記カード受容スロット内に前記主面と直交方向に移動可能に支持された弾性圧接部材と、該弾性圧接部材を前記カードの前記主面に付勢するカム機構と、該カム機構を駆動する操作部材とを備え、
該操作部材の操作により、前記弾性圧接部材が前記カードの前記主面に圧接して前記カードを抜け止めするよう構成されてなることを特徴とするカード用コネクタ組立体。
【請求項２】
前記弾性圧接部材がゴム製であることを特徴とする請求項１記載のカード用コネクタ組立体。
【発明の詳細な説明】
【０００１】
【発明の属する技術分野】
本発明はカード用コネクタ組立体に関し、特に、カード抜止機構を有するカード用コネクタ組立体に関する。
【０００２】
【従来の技術】
この種のカード用コネクタ組立体は、ＰＣＭＣＩＡ等のメモリーカード（ＰＣカード）を使用するものであり、パソコン等に内蔵されている。カードは、コネクタに挿入された後は、使用中に偶発的に抜け出るのを阻止するために、カードの抜止手段を設けることが一般に行われている。このような抜止手段を有するコネクタの一例として、例えば、特開平８−７９８０号公報に開示されたカードコネクタが知られている。このカードコネクタは、挿入されたカードの抜き取り側の端縁に弾発的に係止する係止フックを有している。
【０００３】
また、他の従来技術の特開２０００−２２３２１１号公報には、カード受容スロット内に突出すると共に、受容されるカードの主面に圧接して、カード排出時のカードの飛び出しおよび脱落を防止する円弧状のばねが開示されている。
【０００４】
【発明が解決しようとする課題】
前者の従来技術においては、寸法形状が一定の単一種類のカードの場合には、係止フックの係止位置が変わらないので問題は生じない。しかし、寸法の異なるカード、例えばＰＣＭＣＩＡと、ＰＣＭＣＩＡより小型のコンパクトフラッシュ（登録商標）カードがアダプタに取り付けられたものとを同じカード受容スロットに挿入する場合、挿入方向の全長が異なるので、同一の抜止手段を有するコネクタを共用して使用することができないという問題がある。
【０００５】
また、後者の従来技術においては、カードの厚みの厚いものは、カードの保持はされるものの、カード受容スロットにカードを挿入するときの挿入抵抗が大きく、また、カードの厚みの少ないものは挿入抵抗は小さいが、保持力は低下するという問題がある。
【０００６】
本発明は、以上の点に鑑みてなされたものであり、寸法形状の異なるカードを確実に抜け止めすることができるカード用コネクタ組立体を提供することを目的とするものである。
【０００７】
【課題を解決するための手段】
本発明のカード用コネクタ組立体は、カード受容スロットに受容したカードを抜け止めする抜止機構を有するカード用コネクタ組立体において、抜止機構が、挿入されたカードの主面に対応して、カード受容スロット内に主面と直交方向に移動可能に支持された弾性圧接部材と、この弾性圧接部材をカードの主面に付勢するカム機構と、カム機構を駆動する操作部材とを備え、操作部材の操作により、弾性圧接部材がカードの主面に圧接してカードを抜け止めするよう構成されてなることを特徴とするものである。
【０００８】
ここでいう「主面と直交方向」とは、完全に直交する場合の他、直交方向と僅かにずれる場合も含む。
【０００９】
上記弾性圧接部材はゴム製であることが好ましい。
【００１０】
【発明の効果】
本発明のカード用コネクタ組立体は、カードの抜止機構が、挿入されたカードの主面に対応して、カード受容スロット内に主面と直交方向に移動可能に支持された弾性圧接部材と、この弾性圧接部材をカードの主面に付勢するカム機構と、カム機構を駆動する操作部材とを有しており、この操作部材の操作により、弾性圧接部材がカードの主面に圧接してカードを抜け止めするよう構成されているので次の効果を奏する。
【００１１】
即ち、カードを抜け止めする際は、弾性圧接部材が積極的にカードの方へ変位してカードに圧接状態に摩擦係合、即ち圧接するので、カードの全長、厚さに関係なく確実にカードが保持される。また、カードを挿入するときには、弾性圧接部材はカードに向けて移動されず、カードと干渉しないので、挿入抵抗となることはなく、円滑にカードを挿入することができる。
【００１２】
弾性圧接部材がゴム製である場合は、保持できるカードの厚み範囲が一層大きなものとなるとともに、カードとの摩擦係数を増大させてカードの抜止作用を強化することができる。
【００１３】
【発明の実施の形態】
以下、本発明のカード用コネクタ組立体（以下、単に組立体という）の好ましい実施の形態について、添付図面を参照して詳細に説明する。図１は、本発明の組立体に使用されるカード用コネクタ（以下、単にコネクタという）の平面図であり、図２は、図１に対応するコネクタの斜視図である。以下、図１及び図２を参照して説明する。コネクタ１は、図示しない複数のコンタクトを配列した本体２と、この本体２の両端に取り付けられた断面略コ字状のカードガイド部４、５を有する。本体２には、挿入されるカード１０のコンタクトが挿入される多数のコンタクト収容孔２０（図２）が配列されている。１組のカードガイド部４、５により、カード１０を受容するカード受容スロット３が構成される。
【００１４】
本体２は、カード１０を排出するために、図１の紙面と平行な面内で揺動するように配置されたカムバー６を有する。カムバー６の一端には、カード１０の前端１０ａ（図１）と当接してカード１０を排出する端面８が形成されている。また、本体２から突出する他端１８は、後述するイジェクト機構１２のイジェクタバー１４の前端１６が当接してカムバー６を揺動させるように構成されている。なお、ここで前方、後方とは、図１において、コネクタ１の上方を前方とし、下方を後方とする。また、便宜上、各図において、左右方向という。
【００１５】
次に、カードガイド部４に取り付けられたプッシュ・プッシュ式イジェクト機構（以下、単にイジェクト機構という）１２について説明する。イジェクト機構１２は、カード１０の挿抜方向に延びる、金属板から打抜きおよび折り曲げにより形成されたイジェクタバー１４と、このイジェクタバー１４の後端部に取り付けられた樹脂製の押圧ノブ２２と、押圧ノブ２２に回動可能に取り付けられたストッパ部材２４と、イジェクタバー１４の略中間に取り付けられた舌片４４を有する。
【００１６】
このイジェクト機構１２は、カードガイド部４の外側面に形成されたハート形カム溝１１（図４）と、後述する、舌片４４に取り付けられたカム従動子（図示せず）との係合関係により、押圧ノブ２２を単に反復して押すことで、押圧ノブ２２を突出位置（第２位置）と、押込位置（第１位置）に交互に維持するものである。即ち、舌片４４のカム従動子が、押圧ノブ２２を押し込む毎にハート型カム溝１１内の所定の押し込み位置と突出位置に停止して、押圧ノブ２２の位置決めを行なう。このハート型カム溝１１は、特許第２８３９２４２号公報等において、既に知られている構成なので、ここでは詳細な説明は省略する。
【００１７】
イジェクタバー１４は、その略中間でＬ字状に折れ曲がっており、先端部がカードガイド部４から突出する１組のブラケット２６により、カード１０の挿抜方向に摺動可能に把持されている。また、押圧ノブ２２は、カード１０の挿抜方向に延びるリブ２８を一体に有する。このリブ２８は、カードガイド部４と一体に形成された１組のブラケット２７により摺動可能に保持されている。また、押圧ノブ２２のカードガイド部４に向く面には、挿抜方向に延びるスロット３０が形成されている。
【００１８】
ストッパ部材２４は、平面視が略矩形の樹脂製部材であり、前述のスロット３０に進入する板状部３２と、この板状部３２と直交するように側縁に一体に形成された補強部３４とを有する。このストッパ部材２４は、押圧ノブ２２にピン３６で回動可能に軸支されている。そして、イジェクタバー１４の内向きの突起４０と、ストッパ部材２４の前端のカードガイド４よりの部分との間にコイルばね３８が引っ掛けられている（図２では、コイルばね３８は省略されている）。これにより、ストッパ部材２４は、ピン３６の回りに常時反時計回りに付勢される。しかし、押圧ノブ２２が押し込まれた状態にあるときは、ストッパ部材２４は、カードガイド部４によりスロット３０内に押し込められている。即ち、押圧ノブ２２は、カード受容スロット３から退避した位置にある。また、イジェクタバー１４は、イジェクタバー１４とカードガイド部４との間に引っ掛けたコイルばね１３（図４）により、常時コネクタ１から突出する方向に付勢されている。
【００１９】
また、カードガイド部４の後端近傍には、後端から延びる切欠き４２が形成されている。この切欠き４２は、ストッパ部材２４を受容する大きさを有している。ストッパ部材２４が図１及び図２に示すように、押圧ノブ２２内に収容されている時、即ち、押圧ノブ２２と整列しているときは、カード受容スロット３内に、カード１０の通過を阻害するものは何もないので、カード１０はカード受容スロット３内に円滑に挿入することができる。図１及び図２に示す押圧ノブ２２は、コネクタ１に押し込まれた位置にあり、この状態の時に、カード１０は排出されているので、別のカード１０をカード受容スロット３に挿入することができる。
【００２０】
前述のストッパ部材２４は、押込位置にある押圧ノブ２２を誤って押してしまった時に、ストッパ部材２４がカード受容スロット３内に突出して、カード１０を挿入できなくするためのものである。この理由は、使用中に、突出した押圧ノブ２２が邪魔と使用者が感じたとき、押圧ノブ２２を押し込むと、使用中のカード１０が排出されてしまうという事故を防止するためである。使用後にこのカード１０を排出したいときは、図１（図２）に示す位置にある押圧ノブ２２を押して突出させた後、突出した押圧ノブ２２を押圧することにより排出することができる。
【００２１】
次に、このコネクタ１を使用した本発明の組立体５０について、図３を参照して説明する。図３は、組立体５０をカード１０と共に示す斜視図である。組立体５０はコネクタ１の外周を覆う筐体５２を有する。この筐体５２にはカード１０の挿入側に開口５１が形成され、前述のカードガイド部４、５とともにカード受容スロット３を構成している。またコネクタ１の押圧ノブ２２の外側近傍には、本発明において特徴的なスライダ（操作部材）５４が配置されているが、これについては後述する。
【００２２】
次に、図４を参照して、本発明の組立体５０について詳細に説明する。図４は、図３に示した組立体５０の分解斜視図である。筐体５２は、コネクタ１を収容する収容部５６を有する本体部５８と、この本体部５８の上部を覆うカバー部６０を有する。本体部５８は底壁６２と、この底壁６２の外周部分から立ち上がる壁部６４とを有する。収容部５６の壁部６４は、コネクタ１の外形形状に合わせて突設されており、イジェクト機構１２に対応する部分の外側に膨出部分５６ａが形成されている。
【００２３】
また、本体部５８の後端近傍の、膨出部分５６ａと反対側の壁部６４には、他のコネクタ、例えば、ＵＳＢ（Ｕｎｉｖｅｒｓａｌ　Ｓｅｒｉａｌ　Ｂｕｓ）コネクタを受容する受容部６６が形成されている。前述のカバー部６０にも、重油オブ６６に対応する小カバー部６７が形成されている。本体部５８の後端近傍にはカード１０の挿抜方向と直交する方向に延びる幅広溝６８、７０が、本体部５８の後端部の全幅に亘って形成されている。幅広溝６８は、幅広溝７０より僅かに深く、且つ長く形成されている。幅広溝６８の、図４において右端近傍、即ち、幅広溝７０近傍には挿抜方向に延びるカム突起７２、７４が底壁６２と一体に形成されている。カム突起７４は挿抜方向に沿って離隔して１対形成され、各々はカム突起７２よりも高さが高く、カム突起７２よりも幅広溝７０側に突設されている。
【００２４】
幅広溝６８には、幅広溝６８内を横方向に摺動可能な、平面形状が矩形のプレート７６が配置される。幅広溝７０には、幅広溝７０と平面形状が略相補形のプレート７８が配置される。このとき、プレート７８は、カム突起７４、７４の間に位置する。プレート７６には、膨出部分５６ａ側端部に２つの保持壁８０、８２が突設されている。保持壁８０は、プレート７６の端部を折り曲げて成形され、保持壁８８は切り起こしにより保持壁８０と離隔して形成されている。また、幅広溝７０側の端部は内側に折り返されて補強端部７６ａとして形成されており、またその近傍の底面側には、前述のカム突起７２、７４と係合可能な係合溝８４（図６、図８）が形成されている。この係合関係については後述する。
【００２５】
また、プレート７８の外側端には、壁部６４に取り付けられる取付片８６が、折り曲げにより形成されている。この取付片８６の端部は、さらに壁部６４の上を越えて壁部６４の反対側に延出し、取付片８６とともに壁部６４を挟持する挟持片８６ａを有する。また、幅広溝６８側の端部には、弾性ゴム片（弾性圧接部材）８８が貼着されている。プレート７６、７８が幅広溝６８、７０に配置されると、プレート７６の補強端部７６ａが、弾性ゴム片８８を有する端部の下側に配置される。
【００２６】
前述の保持壁８０、８２の間には、穴９０ａを有する樹脂製の箱形部材９０が配置される。この箱形部材９０は、前述の膨出部分５６ａに配置される。また、膨出部分５６ａには、筐体５２の後端に後壁５６ｂが突設されている。この後壁５６ｂには横長の矩形開口５６ｃが形成されている。前述のスライダ５４のブロック状の摘み５７は、二又に延出する脚５５を有する。この摘み５７と箱形部材９０は後壁５６ｂを挟んで配置される。即ち、摘み５７の脚５５が矩形開口５６ｃに挿入されると共に、脚５５が箱形部材９０の穴９０ａに挿入されて穴９０ａと係合し、スライダ５４として一体化される。脚５５は、矩形開口５６ｃより小さいので、スライダ５４を左右方向に移動させることができる。即ち、スライダ５４を移動させると、箱形部材９０に係合しているプレート７６も左右方向に移動することになる。
【００２７】
次に、スライダ５４の操作について図５を参照して説明する。図５は、コネクタ１を筐体５２の収容部５６内に配置し、スライダ５４を膨出部分５６ａに配置した状態をカバー部６０を除いて示す斜視図である。スライダ５４の摘み５７は、左右方向に移動可能な範囲のうち最も左側に位置している。このときのプレート７６と、カム突起７２との係合状態について、図６を参照して説明する。なお、スライダ５４、プレート７６、７８、カム突起７２、７４を総括してカム機構という。
【００２８】
図６はプレート７６とカム突起７２との係合状態を示す、図５のＡ−Ａ線に沿う、要部の部分断面図である。図６に示すように、スライダ５４が最も左にあるとき、プレート７６の係合溝８４は、カム突起７２と係合して、左右方向に移動しないようになっている。他方プレート７８は、弾性ゴム片８８側の端部がプレート７６の補強端部７６ａの上に乗っている。この状態では、プレート７８は上下方向に変位していない。即ちカード１０をカード受容スロット３に挿入したとき、カード１０は弾性ゴム片８８の上方を弾性ゴム片８８と接触することなく通過する。
【００２９】
次に、スライダ５４を右に移動させるようスライダ５４を操作すると、図７に示すスライダ５４の位置となる。図７は、スライダ５４の摘み５７を右に移動させたときのカム機構の状態を示す斜視図である。但し、カバー部６０は取り外してある。このときのプレート７６とプレート７８の関係について図８を参照して説明する。
【００３０】
図８は、弾性ゴム片８８が、カード１０と摩擦係合（圧接）してカード１０を抜け止めしている状態を示す、図５のＡ−Ａ線に沿う要部の部分断面図である。スライダ５４が右に移動されると、プレート７６の係合溝８４とカム突起７２との係合が外れて、プレート７６は右に移動する。そして係合溝８４とカム突起７４と係合する。カム突起７４はカム突起７２より高い、即ち、一層カード１０側に突出しているので、プレート７６の補強端部７６ａは、プレート７８を下から上方に押圧する。プレート７８は、固定端即ち取付片８６（図４）の回りに弾性的に回動されて上方に持ち上げられ、プレート７８上の弾性ゴム片８８がカード１０の下側の主面１０ｂに圧接（摩擦係合）する。これによりカード１０は、カード受容スロット３から抜け出ることが防止される。弾性ゴム片８８は、その弾力性により、カード１０の下側の主面１０ｂの位置が多少上下していても、その差違を吸収して確実にカード１０を停止状態に維持することができる。換言すると、カード１０の種類によって厚みが変化しても、確実にカード１０が抜け出るのを阻止することができる。さらに、カード１０との摩擦係数を増大させてカード１０の抜止作用を強化することができる。
【００３１】
次に、他の型式のカード１０について、図９を参照して説明する。図９は、アダプタを使用した、カード１０より小型のカード１００を組立体５０とともに示す斜視図である。ここで使用される　アダプタ１０２は、カード１００を受容する開口１０４を有し、幅がカード１０と同じものである。カード１００をアダプタ１０２に挿入して、アダプタ１０２ごとカード受容スロット３に挿入することによって、カード１０と同様に使用することができる。カード１００は挿抜方向の長さがカード１０よりも短いが、カード１００の主面を弾性ゴム片８８が圧接するので、抜け止めする効果はカード１０と同様である。
【００３２】
以上、本発明の好ましい実施の形態について説明したが、上記実施形態に限定されるものではなく、種々の変形、変更が可能であることはいうまでもない。例えば、プレート７８は片持ち梁により筐体５２に取り付けられているが、プレートに複数の脚部を設け、その脚部を筐体５２の底壁６２に挿通して、上下方向に遊動可能に筐体５２に取り付けてもよい。
【図面の簡単な説明】
【図１】本発明のカード用コネクタ組立体に使用されるカード用コネクタの平面図
【図２】図１に対応するカード用コネクタの斜視図
【図３】本発明のカード用コネクタ組立体をカードと共に示す斜視図
【図４】図３に示したカード用コネクタ組立体の分解斜視図
【図５】カード用コネクタを収容部内に配置し、スライダを膨出部分に配置した状態をカバー部を除いて示すカード用コネクタ組立体の斜視図
【図６】カム機構のプレートとカム突起との係合状態を示す、図５のＡ−Ａ線に沿う、要部の部分断面図
【図７】スライダの摘みを右に移動させたときの状態を示すカム機構の斜視図
【図８】弾性ゴム片がカードに圧接してカードを抜け止めしている状態を示すカム機構の、要部の部分断面図
【図９】アダプタを使用した、小型のカードをカード用コネクタ組立体とともに示す斜視図
【符号の説明】
３　　カード受容スロット
１０、１００　　カード
１０ｂ、１００ｂ　　主面
５０　　カード用コネクタ組立体
５４　　スライダ（操作部材）
７２、７４　　カム突起
７６、７８　　プレート
８８　弾性ゴム片（弾性圧接部材）
【図１】
2004055255.tif 000003
【図２】
2004055255.tif 000004
【図３】
2004055255.tif 000005
【図４】
2004055255.tif 000006
【図５】
2004055255.tif 000007
【図６】
2004055255.tif 000008
【図７】
2004055255.tif 000009
【図８】
2004055255.tif 000010
【図９】
2004055255.tif 000011